(57)【要約】【課題】本考案のレジャー用パラソル補助台は、各所の現場に置いてレジャー用パラソルを安全にかつ用意に設置することを高めるものである。【解決手段】本考案は素材を合成樹脂で制作する事により耐久性にすぐれ、バケツ桶形状にすることで空洞が生まれ各所の現場状況にて簡単に錘となる物品が調達することが可能となり、補助台を運搬する際にも、その他の物品も運べるようになり問題を解決している。【選択図】図１
0003131316.tif 000002
【実用新案登録請求の範囲】
【請求項１】
円形状、角形状のバケツ桶形とし、底部に一体化された砲状の凸起を設け中央部はレジャー用パラソル柄より少し大きめの膣状の穴を設け、レジャー用パラソル柄が差し込むことが出来る、補助台の上部中央に正四角形のアルミ金属製の横木を設置し、中央部にレジャー用パラソル柄より大きめの円形状の穴を設けてレジャー用パラソル柄を上記の穴へ差し込み固定する。補助台最上部へ円盤状のゴム板輪の三方をつり金で固定し、安定させる。補助台をバケツ桶状としたことで現地での錘の役割の物品等の調達を容易することを可能とするレジャー用パラソル補助台。
【請求項２】
上記形状の素材としてポリエステル、ポリエチレン、強化プラスチックなどの合成樹脂等を用いてなる請求項１記載のレジャー用パラソル補助台。
【考案の詳細な説明】
【技術分野】
【０００１】本考案はレジャー用パラソル等を倒れないよう支える為に、使用する補助台に関するものである。
【背景技術】
【０００２】夏期の日除け、又は雨天時の際の雨除けに、レジャー用パラソルを使用する際に適当な補助台もないので、レジャー用パラソルを適所で使用することが出来なかった。
【考案の開示】
【考案が解決しようとする課題】
【０００３】海の砂地や川の河原や、キャンプ地、その他、魚釣り等においては、堰堤や防波堤等では、レジャー用パラソルを設置し安定させ使用する際に適当な補助台となるものが見つけにくく、日差しや雨などから身体を保護することも出来ずレジャー用パラソルを使用する際に問題がある。従って本考察の補助台を使用することにより前述の欠点を解決しようとするものである。
【課題を解決する為の手段】
【０００４】本考察のレジャー用パラソル補助台の構成は素材を合成樹脂を使用して製作する事により耐久性にすぐれ、水、又は砂、土、ごろた石、金物類による形状変化がなく、形状を円形又は角形の桶状にすることにより、レジャー用パラソルが倒れこもうとする圧力にも形状変化を起こさないことを特徴としている。即ち「Ａ補助台」の構造とした。
【考察の効果】
【０００５】補助台の上部へ支え止めゴム板輪と三方に支えつり金を設けることにより強風でのレジャー用パラソルが倒れるのを防止し、レジャー用パラソルを安定した状態で設置することが出来る。補助台を使用することにより使用者が日差しや雨などから安全に、かつ安定して身体を保護することに役立つ。
【考察を実施するための最良の形態】
【０００６】レジャー用パラソル補助台Ａの形態は、円形又は角形の桶形状でバケツ型補助台本体図１の、底部図３の中央に補助台本体の基板の合成樹脂で一体化された砲状の凸起図２を設けてあり、その中央部はレジャー用パラソル柄図１１の直径より少し大きめの筒状の穴図４ａを設けレジャー用パラソル柄図１１の先端部分を差込み固定する構造とし、さらに補助台本体図１の上部図４の中央部にアルミ製の横木図７を設置し、その中心部にレジャー用パラソル柄図１１の直径よりやや大きめの円形状の穴図３ａを設け、さらに補助台図Ａの最上部へ円盤形状のゴム板輪図８を、レジャー用パラソル柄図１１先端部より約３分の２位に位置するようにステンつり金棒図９をステンレス製Ω型の固定金具図１０を補助台本体図１の上部図４の縁３ヶ所に固定した所へステンつり金棒図９の先端部をＬ字型に曲げてある部分を差込み固定する。ゴム板輪図８とステンつり金棒図９は次善にゴム板輪３方に固定して置く。ゴム板輪図８とステンつり金棒図９は取りはずしを可能としたことで、運搬する際に便利である。さらにアルミ製の横木図７はアルミ製である為、錆にくく軽量である。設置方法はレジャー用パラソル柄図１１をゴム板輪の筒状の穴図２ａ、アルミ製の横木の筒状の穴、補助台本体底部砲状の凸起の筒状の穴図４ａへと順番に差込み３ヶ所で固定する。次にステンつり金棒図９を補助台本体上部図４に固定された固定金具図１０へ差し込み固定し完成する。レジャー用パラソル柄図１１を縦一直線状の３ヶ所で固定することで安全性にすぐれ強風などでの倒れ込みを防止する。さらにゴム板輪の筒状の穴２ａをレジャー用パラソル柄図１１の直径より小さくし、きつめとすることでレジャー用パラソル柄図１１がより固定され、強風によるレジャー用パラソルの回転することを防止する。補助台本体図１を桶状のバケツ型としたことで、補助台本体の空洞図６が生まれ、レジャー用パラソルを設置し、その倒れを防止する為の絶対必要とされる錘等を、各現地で調達出来る物品「水、砂、砂利、ゴロタ石、鉄」等と色々な物品が使用可能となり、一つのものに限定する事がない。さらに現地へ運搬する際にも物入れとして活用することも可能となり蓋もないので入れやすい。構造が単純なので取り扱いも用意で設置の際も簡単に行うことが出来る。
【０００７】図８ゴム板輪と図９ステン金棒は、一体化した構造とし取り外しが可能なのでレジャー用パラソル柄図１１に次善に設置して置くと運搬にも便利で現地での補助台図Ａの設置する際に効率が良い。
【図面の簡単な説明】
【０００８】
【図１】本考案のレジャー用パラソル補助台の実施例を示す側面図である。
【図２】同じく底面図である。
【図３】同じくレジャー用パラソル柄を設置した状態を示す側断面図である。
【図４】同じく平面図である。
【図５】同じく斜視図である。
【図６】同じく斜視側切断図である。
【符号の説明】
【０００９】Ａ  補助台
１  補助台本体
２  補助台本体底部砲状の凸起
２ａ  ゴム板輪の筒状の穴
３  補助台本体底部
３ａ  アルミ製の横木の筒状の穴
４  補助台本体上部
４ａ  補助台本体底部砲状の凸起の筒状の穴
５  補助台本体の基板となる合成樹脂
６  補助台本体の空洞
７  アルミ製の横木
８  ゴム板輪
９  ステンレス製のつり金棒
１０  ステンレス製のつり金棒を固定するスセンレス製のΩ型の固定金具
１１  レジャー用パラソル柄
【図１】
0003131316.tif 000003
【図２】
0003131316.tif 000004
【図３】
0003131316.tif 000005
【図４】
0003131316.tif 000006
【図５】
0003131316.tif 000007
【図６】
0003131316.tif 000008
【手続補正書】
【提出日】平成19年1月29日(2007.1.29)
【手続補正１】
【補正対象書類名】実用新案登録請求の範囲
【補正対象項目名】全文
【補正方法】変更
【補正の内容】
【実用新案登録請求の範囲】
【請求項１】
円形状又は角形状バケツ桶形とし、底部に一体化された砲状の凸起を設け中央部はレジャー用パラソル柄より少し大きめの膣状の穴を設け、レジャー用パラソル柄が差し込むことが出来るレジャー用パラソル補助台の上部中央に正四角形のアルミ金属製の横木を設置し、その中央部にレジャー用パラソル柄よりやや大きめの円形状の穴を設けレジャー用パラソル柄を前記の穴へ差し込み前記補助台最上部へ円盤状のゴム板輪の三方をつり金で固定し安定させ前記補助台をバケツ桶状としたことで現地での錘の役割の物品の調達を容易することを可能とするレジャー用パラソル補助台。
【請求項２】
上記円形状又は角形状のバケツ桶形状の素材としてポリエステル、ポリエチレン、強化プラスチックなどの合成樹脂を用いてなる請求項１記載のレジャー用パラソル補助台。